(57)【要約】【課題】電源供給開始時から停止時までの電圧異常を検出・記録することにより、電源の故障を早期発見して対処する電源装置を提供することである。【解決手段】電源装置１０は、監視回路１１と、メイン回路１３と、チューナ回路１５とそれらを駆動する第１〜第３の電源ユニット１２、１４、１６とを備え、監視回路１１は第１の電源ユニット１２の出力電圧を検出する第１の電圧検出部１７とＥＥＰＲＯＭ１８とＣＰＵ１９とを有し、メイン回路１３は第２の電源ユニット１４の出力電圧を検出する第２の電圧検出部２０とＣＰＵ２１とを有し、チューナ回路１５は第３の電源ユニット１６の出力電圧を検出する第３の電圧検出部２２とＩＯ２３とを有し、第１〜第３の電圧検出部１７、２０、２２でそれぞれ検出される第１〜第３信号の組合せに異常を検出するとＥＥＰＲＯＭ１８に該異常を記録し、異常信号を出力する構成とする。【選択図】図１
2005218152.tif 000002
【特許請求の範囲】
【請求項１】
電圧を監視する監視回路と、該監視回路を駆動する第１の電源ユニットと、搭載される機器を制御するメイン回路と、該メイン回路を駆動する第２の電源ユニットとを備え、前記監視回路は、第１の電源ユニットの出力電圧を検出する第１の電圧検出部と、検出結果を記録する記録部と、第１の制御部とを有し、前記メイン回路は、第２の電源ユニットの出力電圧を検出する第２の電圧検出部と、第２の制御部とを有する電源装置であって、前記第１の制御部は、前記第１の電圧検出部で検出される第１信号及び前記第２の電圧検出部で検出される第２信号の組合せに異常を検出すると、前記記録部に該異常を記録し、異常信号を出力することを特徴とする電源装置。
【請求項２】
前記第１の電源ユニットの電源供給開始時又は供給中、且つ前記第２の電源ユニットの電源供給停止中であるスタンバイ状態において、前記第１信号が不良、且つ前記第２信号が不良である場合は、監視回路系の異常を前記記録部に記録するとともに異常信号を出力することを特徴とする請求項１記載の電源装置。
【請求項３】
前記第１の電源ユニットの電源供給開始時又は供給中、且つ前記第２の電源ユニットの電源供給停止中であるスタンバイ状態において、前記第１信号が不良、且つ前記第２信号が良好である場合は、監視回路系及びメイン回路系の異常を前記記録部に記録するとともに異常信号を出力することを特徴とする請求項１記載の電源装置。
【請求項４】
前記第１の電源ユニットの電源供給開始時又は供給中、且つ前記第２の電源ユニットの電源供給停止中であるスタンバイ状態において、前記第１信号が良好、且つ前記第２信号が不良である場合は、前記第２の電源ユニットの電源供給開始信号待ちとなることを特徴とする請求項１記載の電源装置。
【請求項５】
前記第１の電源ユニットの電源供給開始時又は供給中、且つ前記第２の電源ユニットの電源供給停止中であるスタンバイ状態において、前記第１及び第２信号が良好である場合、
メイン回路系の異常を前記記録部に記録するとともに異常信号を出力することを特徴とする請求項１記載の電源装置。
【請求項６】
前記第１の電源ユニットの電源供給中、且つ前記第２の電源ユニットの電源供給開始時において、前記第１信号が不良である場合は、前記第２の電源ユニットの電源供給を停止してスタンバイ状態とすることを特徴とする請求項１記載の電源装置。
【請求項７】
前記第１の電源ユニットの電源供給中、且つ前記第２の電源ユニットの電源供給開始時において、前記第１信号が良好、且つ前記第２信号が不良である場合は、メイン回路系の異常を前記記録部に記録するとともに異常信号を出力し、前記第２の電源ユニットの電源供給を停止することを特徴とする請求項１記載の電源装置。
【請求項８】
前記第１の電源ユニットの電源供給中、且つ前記第２の電源ユニットの電源供給中において、前記第１信号が不良、且つ前記第２信号が不良である場合は、監視回路系の異常を前記記録部に記録するとともに異常信号を出力し、前記第２の電源ユニットの電源供給を停止することを特徴とする請求項１記載の電源装置。
【請求項９】
前記第１の電源ユニットの電源供給中、且つ前記第２の電源ユニットの電源供給中において、前記第１信号が不良、且つ前記第２信号が良好である場合は、監視回路系の異常を前記記録部に記録するとともに異常信号を出力し、消音処理し、前記第２の電源ユニットの電源供給を停止することを特徴とする請求項１記載の電源装置。
【請求項１０】
前記第１の電源ユニットの電源供給中、且つ前記第２の電源ユニットの電源供給中において、前記第１信号が良好、且つ前記第２信号が不良である場合は、メイン回路系の異常を前記記録部に記録するとともに異常信号を出力し、前記第２の電源ユニットの電源供給を停止することを特徴とする請求項１記載の電源装置。
【請求項１１】
前記第１の電源ユニットの電源供給中、且つ前記第２の電源ユニットの電源供給停止時において、前記第１信号が不良、且つ前記第２信号が不良である場合は、前記第２の電源ユニットの電源供給を停止してスタンバイ状態とすることを特徴とする請求項１記載の電源装置。
【請求項１２】
前記第１の電源ユニットの電源供給中、且つ前記第２の電源ユニットの電源供給停止時において、前記第１信号が不良、且つ前記第２信号が良好である場合は、メイン回路系の異常を前記記録部に記録し、前記第１及び第２の制御部をリセットし、前記第２の電源ユニットの電源供給を停止してスタンバイ状態とすることを特徴とする請求項１記載の電源装置。
【請求項１３】
前記第１の電源ユニットの電源供給中、且つ前記第２の電源ユニットの電源供給停止時において、前記第１信号が良好、且つ前記第２信号が不良である場合は、前記第２の電源ユニットの電源供給開始信号待ちとなることを特徴とする請求項１記載の電源装置。
【請求項１４】
前記第１の電源ユニットの電源供給中、且つ前記第２の電源ユニットの電源供給停止時において、前記第１信号が良好、且つ前記第２信号が良好である場合は、メイン回路系の異常を前記記録部に記録し、前記第１及び第２の制御部をリセットし、前記第２の電源ユニットの電源供給を停止してスタンバイ状態とすることを特徴とする請求項１記載の電源装置。
【請求項１５】
電圧を監視する監視回路と、該監視回路を駆動する第１の電源ユニットと、搭載される機器を制御するメイン回路と、該メイン回路を駆動する第２の電源ユニットと、チューナを制御するチューナ回路と、該チューナ回路を駆動する第３の電源ユニットとを備え、前記監視回路は、第１の電源ユニットの出力電圧を検出する第１の電圧検出部と、検出結果を記録する記録部と、第１の制御部とを有し、前記メイン回路は、第２の電源ユニットの出力電圧を検出する第２の電圧検出部と、第２の制御部とを有し、前記チューナ回路は、第３の電源ユニットの出力電圧を検出する第３の電圧検出部と、第３の制御部とを有する電源装置であって、前記第１の制御部は、前記第１の電圧検出部で検出される第１信号、前記第２の電圧検出部で検出される第２信号、及び前記第３の電圧検出部で検出される第３信号の組合せに異常を検出すると、前記記録部に該異常を記録し、異常信号を出力することを特徴とする電源装置。
【請求項１６】
前記第１の電源ユニットの電源供給開始時又は供給中、前記第２の電源ユニットの電源供給停止中、且つ前記第３の電源ユニットの電源供給停止中であるスタンバイ状態において前記第１及び第２信号が不良、且つ前記第３信号が良好である場合は、監視回路系及びチューナ回路系の異常を前記記録部に記録するとともに異常信号を出力することを特徴とする請求項１５記載の電源装置。
【請求項１７】
前記第１の電源ユニットの電源供給開始時又は供給中、前記第２の電源ユニットの電源供給停止中、且つ前記第３の電源ユニットの電源供給停止中であるスタンバイ状態において前記第１信号が不良、且つ前記第２及び第３信号が良好である場合は、監視回路系、メイン回路系、及びチューナ回路系の異常を前記記録部に記録するとともに異常信号を出力することを特徴とする請求項１５記載の電源装置。
【請求項１８】
前記第１の電源ユニットの電源供給開始時又は供給中、前記第２の電源ユニットの電源供給停止中、且つ前記第３の電源ユニットの電源供給停止中であるスタンバイ状態において前記第１信号が良好、前記第２信号が不良、且つ前記第３信号が良好である場合は、チューナ回路系の異常を前記記録部に記録するとともに異常信号を出力することを特徴とする請求項１５記載の電源装置。
【請求項１９】
前記第１の電源ユニットの電源供給開始時又は供給中、前記第２の電源ユニットの電源供給停止中、且つ前記第３の電源ユニットの電源供給停止中であるスタンバイ状態において前記第１〜第３信号が良好である場合は、メイン回路系及びチューナ回路系の異常を前記記録部に記録するとともに異常信号を出力することを特徴とする請求項１５記載の電源装置。
【請求項２０】
前記第１の電源ユニットの電源供給中、且つ前記第２及び第３の電源ユニットの電源供給開始時において、前記第１信号が良好、且つ前記第２及び第３信号が不良である場合は、メイン回路系及びチューナ回路系の異常を前記記録部に記録し、前記第２及び第３の電源ユニットの電源供給を停止し、再度前記第２及び第３の電源ユニットの電源供給を開始して第１〜第３信号を判定する動作を所定回数繰り返し、所定回数連続で異常を検出すると異常信号を出力することを特徴とする請求項１５記載の電源装置。
【請求項２１】
前記第１の電源ユニットの電源供給中、且つ前記第２及び第３の電源ユニットの電源供給開始時において、前記第１信号が良好、前記第２信号が不良、且つ前記第３信号が良好である場合は、メイン回路系の異常を前記記録部に記録し、前記第２及び第３の電源ユニットの電源供給を停止し、再度前記第２及び第３の電源ユニットの電源供給を開始して第１〜第３信号を判定する動作を所定回数繰り返し、所定回数連続で異常を検出すると異常信号を出力することを特徴とする請求項１５記載の電源装置。
【請求項２２】
前記第１の電源ユニットの電源供給中、且つ前記第２及び第３の電源ユニットの電源供給開始時において、前記第１及び第２信号が良好、且つ前記第３信号が不良である場合は、チューナ回路系の異常を前記記録部に記録し、前記第２及び第３の電源ユニットの電源供給を停止し、再度前記第２及び第３の電源ユニットの電源供給を開始して第１〜第３信号を判定する動作を所定回数繰り返し、所定回数連続で異常を検出すると異常信号を出力することを特徴とする請求項１５記載の電源装置。
【請求項２３】
前記第１の電源ユニットの電源供給中、且つ前記第２及び第３の電源ユニットの電源供給中において、前記第１及び第２信号が不良、且つ前記第３信号が良好である場合は、動作状態を前記記録部に記録し、前記第２及び第３の電源ユニットの電源供給を停止し、所定時間経過後に第１信号が良好となれば、再度前記第２及び第３の電源ユニットの電源供給を開始して前記動作状態に復元することを特徴とする請求項１５記載の電源装置。
【請求項２４】
前記第１の電源ユニットの電源供給中、且つ前記第２及び第３の電源ユニットの電源供給中において、前記第１信号が不良、前記第２信号が良好、且つ前記第３信号が不良である場合は、動作状態を前記記録部に記録し、消音処理し、前記第２及び第３の電源ユニットの電源供給を停止し、所定時間経過後に第１信号が良好となれば、再度前記第２及び第３の電源ユニットの電源供給を開始して前記動作状態に復元することを特徴とする請求項１５記載の電源装置。
【請求項２５】
前記第１の電源ユニットの電源供給中、且つ前記第２及び第３の電源ユニットの電源供給中において、前記第１信号が不良、且つ前記第２及び第３信号が良好である場合は、監視回路系の異常を前記記録部に記録するとともに異常信号を出力し、前記第２及び第３の電源ユニットの電源供給を停止することを特徴とする請求項１５記載の電源装置。
【請求項２６】
前記第１の電源ユニットの電源供給中、且つ前記第２及び第３の電源ユニットの電源供給中において、前記第１信号が良好、且つ前記第２及び第３信号が不良である場合は、消音処理し、所定時間経過後に第１信号が不良となれば、動作状態を前記記録部に記録し、前記第２及び第３の電源ユニットの電源供給を停止し、所定時間経過後までに第３信号が良好になれば、消音解除処理し、所定時間経過後も第３信号が不良であれば、チューナ回路系の異常を前記記録部に記録し、前記第２及び第３の電源ユニットの電源供給を停止し、再度前記第２及び第３の電源ユニットの電源供給を開始して前記動作状態に復元し、所定時間経過までに一時的に前記第１信号が不良となれば、動作状態を前記記録部に記録し、前記第２及び第３の電源ユニットの電源供給を停止し、再度前記第２及び第３の電源ユニットの電源供給を開始して前記動作状態に復元することを特徴とする請求項１５記載の電源装置。
【請求項２７】
前記第１の電源ユニットの電源供給中、且つ前記第２及び第３の電源ユニットの電源供給中において、前記第１信号が良好、前記第２信号が不良、且つ前記第３信号が良好である場合は、前記第２及び第３の電源ユニットの電源供給を停止し、所定時間経過後までに第１信号が不良となれば、動作状態を前記記録部に記録し、所定時間経過後も第１信号が良好であれば、メイン回路系の異常を前記記録部に記録し、再度前記第２及び第３の電源ユニットの電源供給を開始して前記動作状態に復元することを特徴とする請求項１５記載の電源装置。
【請求項２８】
前記第１の電源ユニットの電源供給中、且つ前記第２及び第３の電源ユニットの電源供給中において、前記第１及び第２信号が良好、且つ前記第３信号が不良である場合は、消音処理し、所定時間経過後に第１信号が不良となれば、動作状態を前記記録部に記録し、前記第２及び第３の電源ユニットの電源供給を停止し、所定時間経過後までに第３信号が良好になれば、消音解除処理し、所定時間経過後も第３信号が不良であれば、チューナ回路系の異常を前記記録部に記録し、前記第２及び第３の電源ユニットの電源供給を停止し、再度前記第２及び第３の電源ユニットの電源供給を開始して前記動作状態に復元し、所定時間経過までに一時的に前記第１信号が不良となれば、動作状態を前記記録部に記録し、前記第２及び第３の電源ユニットの電源供給を停止し、再度前記第２及び第３の電源ユニットの電源供給を開始して前記動作状態に復元することを特徴とする請求項１５記載の電源装置。
【請求項２９】
前記第１の電源ユニットの電源供給中、且つ前記第２及び第３の電源ユニットの電源供給停止時において、前記第２信号が不良、且つ前記第３信号が良好である場合は、チューナ回路系の異常を前記記録部に記録し、前記第１〜第３の制御部をリセットし、前記第２及び第３の電源ユニットの電源供給を停止してスタンバイ状態とすることを特徴とする請求項１５記載の電源装置。
【請求項３０】
前記第１の電源ユニットの電源供給中、且つ前記第２及び第３の電源ユニットの電源供給停止時において、前記第２及び第３信号が良好である場合は、メイン回路系及びチューナ回路系の異常を前記記録部に記録し、前記第１〜第３の制御部をリセットし、前記第２及び第３の電源ユニットの電源供給を停止してスタンバイ状態とすることを特徴とする請求項１５記載の電源装置。
【発明の詳細な説明】
【技術分野】
【０００１】
本発明は、出力電圧の異常を検出する電源装置に関するものである。
【背景技術】
【０００２】
テレビ等の電気機器には電源の異常を検知する検出装置が搭載されている。これにより自動的に電源の異常を検知して電源の故障を未然に知り、電源装置の劣化がシステム全体に悪影響を及ぼす前にトラブルを防止することができる。
【０００３】
例えば、特許文献１には、電源出力成分中のリップルを抽出する手段と、リップルが所定時間継続して所定のレベル以上になったことを検出する手段とを備えた電源異常検出装置が開示されている。これにより、電源の出力電圧が正常か否かが判定されている。
【特許文献１】特開平５−２４０８８９号公報
【発明の開示】
【発明が解決しようとする課題】
【０００４】
しかしながら、特許文献１の電源異常検出装置では、出力電圧を検出するだけであり、異常電圧が検出された場合の結果を記録していない。また、電源安定時の電圧のみを検出しているので、電源供給開始時や電源供給停止時の非安定時については検出していない。
【０００５】
本発明は、電源供給開始時から停止時までの電圧異常を検出・記録することにより、電源の故障を早期発見して対処する電源装置を提供することを目的とする。
【課題を解決するための手段】
【０００６】
上記目的を達成するために本発明は、電圧を監視する監視回路と、該監視回路を駆動する第１の電源ユニットと、搭載される機器を制御するメイン回路と、該メイン回路を駆動する第２の電源ユニットとを備え、前記監視回路は、第１の電源ユニットの出力電圧を検出する第１の電圧検出部と、検出結果を記録する記録部と、第１の制御部とを有し、前記メイン回路は、第２の電源ユニットの出力電圧を検出する第２の電圧検出部と、第２の制御部とを有する電源装置であって、前記第１の制御部は、前記第１の電圧検出部で検出される第１信号及び前記第２の電圧検出部で検出される第２信号の組合せに異常を検出すると、前記記録部に該異常を記録し、異常信号を出力することを特徴とするものである。
【０００７】
また本発明は、前記第１の電源ユニットの電源供給開始時又は供給中、且つ前記第２の電源ユニットの電源供給停止中であるスタンバイ状態において、前記第１信号が不良、且つ前記第２信号が不良である場合は、監視回路系の異常を前記記録部に記録するとともに異常信号を出力することを特徴とするものである。
【０００８】
また本発明は、前記第１の電源ユニットの電源供給開始時又は供給中、且つ前記第２の電源ユニットの電源供給停止中であるスタンバイ状態において、前記第１信号が不良、且つ前記第２信号が良好である場合は、監視回路系及びメイン回路系の異常を前記記録部に記録するとともに異常信号を出力することを特徴とするものである。
【０００９】
また本発明は、前記第１の電源ユニットの電源供給開始時又は供給中、且つ前記第２の電源ユニットの電源供給停止中であるスタンバイ状態において、前記第１信号が良好、且つ前記第２信号が不良である場合は、前記第２の電源ユニットの電源供給開始信号待ちとなることを特徴とするものである。
【００１０】
また本発明は、前記第１の電源ユニットの電源供給開始時又は供給中、且つ前記第２の電源ユニットの電源供給停止中であるスタンバイ状態において、前記第１及び第２信号が良好である場合は、メイン回路系の異常を前記記録部に記録するとともに異常信号を出力することを特徴とするものである。
【００１１】
また本発明は、前記第１の電源ユニットの電源供給中、且つ前記第２の電源ユニットの電源供給開始時において、前記第１信号が不良である場合は、前記第２の電源ユニットの電源供給を停止してスタンバイ状態とすることを特徴とするものである。
【００１２】
また本発明は、前記第１の電源ユニットの電源供給中、且つ前記第２の電源ユニットの電源供給開始時において、前記第１信号が良好、且つ前記第２信号が不良である場合は、メイン回路系の異常を前記記録部に記録するとともに異常信号を出力し、前記第２の電源ユニットの電源供給を停止することを特徴とするものである。
【００１３】
また本発明は、前記第１の電源ユニットの電源供給中、且つ前記第２の電源ユニットの電源供給中において、前記第１信号が不良、且つ前記第２信号が不良である場合は、監視回路系の異常を前記記録部に記録するとともに異常信号を出力し、前記第２の電源ユニットの電源供給を停止することを特徴とするものである。
【００１４】
また本発明は、前記第１の電源ユニットの電源供給中、且つ前記第２の電源ユニットの電源供給中において、前記第１信号が不良、且つ前記第２信号が良好である場合は、監視回路系の異常を前記記録部に記録するとともに異常信号を出力し、消音処理し、前記第２の電源ユニットの電源供給を停止することを特徴とするものである。
【００１５】
また本発明は、前記第１の電源ユニットの電源供給中、且つ前記第２の電源ユニットの電源供給中において、前記第１信号が良好、且つ前記第２信号が不良である場合は、メイン回路系の異常を前記記録部に記録するとともに異常信号を出力し、前記第２の電源ユニットの電源供給を停止することを特徴とするものである。
【００１６】
また本発明は、前記第１の電源ユニットの電源供給中、且つ前記第２の電源ユニットの電源供給停止時において、前記第１信号が不良、且つ前記第２信号が不良である場合は、前記第２の電源ユニットの電源供給を停止してスタンバイ状態とすることを特徴とするものである
また本発明は、前記第１の電源ユニットの電源供給中、且つ前記第２の電源ユニットの電源供給停止時において、前記第１信号が不良、且つ前記第２信号が良好である場合は、メイン回路系の異常を前記記録部に記録し、前記第１及び第２の制御部をリセットし、前記第２の電源ユニットの電源供給を停止してスタンバイ状態とすることを特徴とするものである。
【００１７】
また本発明は、前記第１の電源ユニットの電源供給中、且つ前記第２の電源ユニットの電源供給停止時において、前記第１信号が良好、且つ前記第２信号が不良である場合は、前記第２の電源ユニットの電源供給開始信号待ちとなることを特徴とするものである。
【００１８】
また本発明は、前記第１の電源ユニットの電源供給中、且つ前記第２の電源ユニットの電源供給停止時において、前記第１信号が良好、且つ前記第２信号が良好である場合は、メイン回路系の異常を前記記録部に記録し、前記第１及び第２の制御部をリセットし、前記第２の電源ユニットの電源供給を停止してスタンバイ状態とすることを特徴とするものである。
【００１９】
また本発明は、電圧を監視する監視回路と、該監視回路を駆動する第１の電源ユニットと、搭載される機器を制御するメイン回路と、該メイン回路を駆動する第２の電源ユニットと、チューナを制御するチューナ回路と、該チューナ回路を駆動する第３の電源ユニットとを備え、前記監視回路は、第１の電源ユニットの出力電圧を検出する第１の電圧検出部と、検出結果を記録する記録部と、第１の制御部とを有し、前記メイン回路は、第２の電源ユニットの出力電圧を検出する第２の電圧検出部と、第２の制御部とを有し、前記チューナ回路は、第３の電源ユニットの出力電圧を検出する第３の電圧検出部と、第３の制御部とを有する電源装置であって、前記第１の制御部は、前記第１の電圧検出部で検出される第１信号、前記第２の電圧検出部で検出される第２信号、及び前記第３の電圧検出部で検出される第３信号の組合せに異常を検出すると、前記記録部に該異常を記録し、異常信号を出力することを特徴とするものである。
【００２０】
また本発明は、前記第１の電源ユニットの電源供給開始時又は供給中、前記第２の電源ユニットの電源供給停止中、且つ前記第３の電源ユニットの電源供給停止中であるスタンバイ状態において、前記第１及び第２信号が不良、且つ前記第３信号が良好である場合は監視回路系及びチューナ回路系の異常を前記記録部に記録するとともに異常信号を出力することを特徴とするものである。
【００２１】
また本発明は、前記第１の電源ユニットの電源供給開始時又は供給中、前記第２の電源ユニットの電源供給停止中、且つ前記第３の電源ユニットの電源供給停止中であるスタンバイ状態において、前記第１信号が不良、且つ前記第２及び第３信号が良好である場合は監視回路系、メイン回路系、及びチューナ回路系の異常を前記記録部に記録するとともに異常信号を出力することを特徴とするものである。
【００２２】
また本発明は、前記第１の電源ユニットの電源供給開始時又は供給中、前記第２の電源ユニットの電源供給停止中、且つ前記第３の電源ユニットの電源供給停止中であるスタンバイ状態において、前記第１信号が良好、前記第２信号が不良、且つ前記第３信号が良好である場合は、チューナ回路系の異常を前記記録部に記録するとともに異常信号を出力することを特徴とするものである。
【００２３】
また本発明は、前記第１の電源ユニットの電源供給開始時又は供給中、前記第２の電源ユニットの電源供給停止中、且つ前記第３の電源ユニットの電源供給停止中であるスタンバイ状態において、前記第１〜第３信号が良好である場合は、メイン回路系及びチューナ回路系の異常を前記記録部に記録するとともに異常信号を出力することを特徴とするものである。
【００２４】
また本発明は、前記第１の電源ユニットの電源供給中、且つ前記第２及び第３の電源ユニットの電源供給開始時において、前記第１信号が良好、且つ前記第２及び第３信号が不良である場合は、メイン回路系及びチューナ回路系の異常を前記記録部に記録し、前記第２及び第３の電源ユニットの電源供給を停止し、再度前記第２及び第３の電源ユニットの電源供給を開始して第１〜第３信号を判定する動作を所定回数繰り返し、所定回数連続で異常を検出すると異常信号を出力することを特徴とするものである。
【００２５】
また本発明は、前記第１の電源ユニットの電源供給中、且つ前記第２及び第３の電源ユニットの電源供給開始時において、前記第１信号が良好、前記第２信号が不良、且つ前記第３信号が良好である場合は、メイン回路系の異常を前記記録部に記録し、前記第２及び第３の電源ユニットの電源供給を停止し、再度前記第２及び第３の電源ユニットの電源供給を開始して第１〜第３信号を判定する動作を所定回数繰り返し、所定回数連続で異常を検出すると異常信号を出力することを特徴とするものである。
【００２６】
また本発明は、前記第１の電源ユニットの電源供給中、且つ前記第２及び第３の電源ユニットの電源供給開始時において、前記第１及び第２信号が良好、且つ前記第３信号が不良である場合は、チューナ回路系の異常を前記記録部に記録し、前記第２及び第３の電源ユニットの電源供給を停止し、再度前記第２及び第３の電源ユニットの電源供給を開始して第１〜第３信号を判定する動作を所定回数繰り返し、所定回数連続で異常を検出すると異常信号を出力することを特徴とするものである。
【００２７】
また本発明は、前記第１の電源ユニットの電源供給中、且つ前記第２及び第３の電源ユニットの電源供給中において、前記第１及び第２信号が不良、且つ前記第３信号が良好である場合は、動作状態を前記記録部に記録し、前記第２及び第３の電源ユニットの電源供給を停止し、所定時間経過後に第１信号が良好となれば、再度前記第２及び第３の電源ユニットの電源供給を開始して前記動作状態に復元することを特徴とするものである。
【００２８】
また本発明は、前記第１の電源ユニットの電源供給中、且つ前記第２及び第３の電源ユニットの電源供給中において、前記第１信号が不良、前記第２信号が良好、且つ前記第３信号が不良である場合は、動作状態を前記記録部に記録し、消音処理し、前記第２及び第３の電源ユニットの電源供給を停止し、所定時間経過後に第１信号が良好となれば、再度前記第２及び第３の電源ユニットの電源供給を開始して前記動作状態に復元することを特徴とするものである。
【００２９】
また本発明は、前記第１の電源ユニットの電源供給中、且つ前記第２及び第３の電源ユニットの電源供給中において、前記第１信号が不良、且つ前記第２及び第３信号が良好である場合は、監視回路系の異常を前記記録部に記録するとともに異常信号を出力し、前記第２及び第３の電源ユニットの電源供給を停止することを特徴とするものである。
【００３０】
また本発明は、前記第１の電源ユニットの電源供給中、且つ前記第２及び第３の電源ユニットの電源供給中において、前記第１信号が良好、且つ前記第２及び第３信号が不良である場合は、消音処理し、所定時間経過後に第１信号が不良となれば、動作状態を前記記録部に記録し、前記第２及び第３の電源ユニットの電源供給を停止し、所定時間経過後までに第３信号が良好になれば、消音解除処理し、所定時間経過後も第３信号が不良であれば、チューナ回路系の異常を前記記録部に記録し、前記第２及び第３の電源ユニットの電源供給を停止し、再度前記第２及び第３の電源ユニットの電源供給を開始して前記動作状態に復元し、所定時間経過までに一時的に前記第１信号が不良となれば、動作状態を前記記録部に記録し、前記第２及び第３の電源ユニットの電源供給を停止し、再度前記第２及び第３の電源ユニットの電源供給を開始して前記動作状態に復元することを特徴とするものである。
【００３１】
また本発明は、前記第１の電源ユニットの電源供給中、且つ前記第２及び第３の電源ユニットの電源供給中において、前記第１信号が良好、前記第２信号が不良、且つ前記第３信号が良好である場合は、前記第２及び第３の電源ユニットの電源供給を停止し、所定時間経過後までに第１信号が不良となれば、動作状態を前記記録部に記録し、所定時間経過後も第１信号が良好であれば、メイン回路系の異常を前記記録部に記録し、再度前記第２及び第３の電源ユニットの電源供給を開始して前記動作状態に復元することを特徴とするものである。
【００３２】
また本発明は、前記第１の電源ユニットの電源供給中、且つ前記第２及び第３の電源ユニットの電源供給中において、前記第１及び第２信号が良好、且つ前記第３信号が不良である場合は、消音処理し、所定時間経過後に第１信号が不良となれば、動作状態を前記記録部に記録し、前記第２及び第３の電源ユニットの電源供給を停止し、所定時間経過後までに第３信号が良好になれば、消音解除処理し、所定時間経過後も第３信号が不良であれば、チューナ回路系の異常を前記記録部に記録し、前記第２及び第３の電源ユニットの電源供給を停止し、再度前記第２及び第３の電源ユニットの電源供給を開始して前記動作状態に復元し、所定時間経過までに一時的に前記第１信号が不良となれば、動作状態を前記記録部に記録し、前記第２及び第３の電源ユニットの電源供給を停止し、再度前記第２及び第３の電源ユニットの電源供給を開始して前記動作状態に復元することを特徴とするものである。
【００３３】
また本発明は、前記第１の電源ユニットの電源供給中、且つ前記第２及び第３の電源ユニットの電源供給停止時において、前記第２信号が不良、且つ前記第３信号が良好である場合は、チューナ回路系の異常を前記記録部に記録し、前記第１〜第３の制御部をリセットし、前記第２及び第３の電源ユニットの電源供給を停止してスタンバイ状態とすることを特徴とするものである。
【００３４】
また本発明は、前記第１の電源ユニットの電源供給中、且つ前記第２及び第３の電源ユニットの電源供給停止時において、前記第２及び第３信号が良好である場合は、メイン回路系及びチューナ回路系の異常を前記記録部に記録し、前記第１〜第３の制御部をリセットし、前記第２及び第３の電源ユニットの電源供給を停止してスタンバイ状態とすることを特徴とするものである。
【発明の効果】
【００３５】
本発明の電源装置によれば、各電源ユニットの電源供給開始時から停止時までの電圧異常をそれぞれ検出・記録し、部品保護のために各種制御を行うことにより、電源の故障を早期発見して対処することができる。
【発明を実施するための最良の形態】
【００３６】
以下、本発明の電源装置を液晶テレビに搭載した場合を例に説明する。図１は、電源装置１０の構成を示すブロック図である。電源装置１０は、電源の出力電圧を監視する監視回路１１と、監視回路１１を駆動する第１の電源ユニット１２と、液晶テレビを制御するメイン回路１３と、メイン回路１３を駆動する第２の電源ユニット１４と、チューナを制御するチューナ回路１５と、チューナ回路１５を駆動する第３の電源ユニット１６とを備えている。
【００３７】
監視回路１１は、第１の電源ユニット１２の出力電圧を検出する第１の電圧検出部１７と、検出結果を記録するＥＥＰＲＯＭ（記録部）１８と、監視回路用ＣＰＵ（第１の制御部）１９とを有している。
【００３８】
メイン回路１３は、第２の電源ユニット１４の出力電圧を検出する第２の電圧検出部２０と、メイン回路用ＣＰＵ（第２の制御部）２１とを有している。
【００３９】
チューナ回路１５は、第３の電源ユニット１６の出力電圧を検出する第３の電圧検出部２２と、ＩＯ（第３の制御部）２３とを有している。
【００４０】
監視回路１１は、電源の監視や赤外線リモコンからの指示を制御し、メイン回路１３は液晶表示のための画像処理や外部入力の切替等を行い、チューナ回路１５は、チューナに関する画像処理や音声処理を行う。
【００４１】
このような電源装置１０の動作として、監視回路用ＣＰＵ１９は、第１の電圧検出部１７で検出される第１信号、第２の電圧検出部２０で検出される第２信号、及び第３の電圧検出部２２で検出される第３信号の組合せに異常を検出すると、ＥＥＰＲＯＭ１８に該異常を記録し、外部のＬＥＤ（図示せず）等を表示させるための異常信号を出力する。
【００４２】
また、電源装置１０の異常が検出されると、監視回路用ＣＰＵ１９が第２及び第３の電源ユニット１４、１６の電源供給等を制御して部品の故障を未然に防ぐことができる。
【００４３】
なお、第１及び第２信号の組合せに異常を検出すると、前記記録部に該異常を記録し、異常信号を出力するようにしてもよい。
【００４４】
以下に、電源装置１０の動作について実施例を用いて説明する。実施例は第１〜第３の電源ユニットの電源供給状態と、第１〜第３信号の内容の組合せとを基準に分けている。実施例１〜実施例８は、第１の電源ユニット１２の電源供給開始時又は供給中であって、且つ第２及び第３の電源ユニット１４、１６の電源供給停止中であるスタンバイ状態における動作である。
【００４５】
実施例１は、第１〜第３信号が不良である場合は、監視回路系の異常をＥＥＰＲＯＭ１８に記録するとともに異常信号を出力するものである。なお、チューナ回路系を除いた場合でも、第１及び第２信号が不良であれば同様の動作を行うものとする。ここで、各電圧検出部１７、２０、２２で所定の電圧が検出された場合の信号を「良好」、所定の電圧が検出されなかった場合を「不良」と呼ぶ。監視回路系の異常の原因は、第１の電源ユニット１２や監視回路１１の故障、第１の電源ユニット１２と監視回路１１とを繋ぐワイヤーハーネスの短絡などが考えられる。そして、異常が解決するまでは異常信号を出力し続け第２や第３の電源ユニット１４、１６の電源供給開始は受け付けない。
【００４６】
実施例２は、第１及び第２信号が不良、且つ第３信号が良好である場合は、監視回路系及びチューナ回路系の異常をＥＥＰＲＯＭ１８に記録するとともに異常信号を出力するものである。チューナ回路系の異常の原因は、第３の電源ユニット１６やチューナ回路１５の故障、第３の電源ユニット１６とチューナ回路１５とを繋ぐワイヤーハーネスの短絡などが考えられる。そして、異常が解決するまでは異常信号を出力し続け、第２や第３の電源ユニット１４、１６の電源供給開始は受け付けない。
【００４７】
実施例３は、第１信号が不良、第２信号が良好、且つ第３信号が不良である場合は、監視回路系及びメイン回路系の異常をＥＥＰＲＯＭ１８に記録するとともに異常信号を出力するものである。なお、チューナ回路系を除いた場合でも、第１信号が不良及び第２信号が良好であれば同様の動作を行うものとする。メイン回路系の異常の原因は、第２の電源ユニット１４やメイン回路１３の故障、第２の電源ユニット１２とメイン回路１３とを繋ぐワイヤーハーネスの短絡などが考えられる。そして、異常が解決するまでは異常信号を出力し続け、第２や第３の電源ユニット１４、１６の電源供給開始は受け付けない。
【００４８】
実施例４は、第１信号が不良、且つ第２及び第３信号が良好である場合は、監視回路系と、メイン回路系、及びチューナ回路系の異常をＥＥＰＲＯＭ１８に記録するとともに異常信号を出力するものである。そして、異常が解決するまでは異常信号を出力し続け、第２や第３の電源ユニット１４、１６の電源供給開始は受け付けない。
【００４９】
実施例５は、第１信号が良好、且つ第２及び第３信号が不良である場合は、第２及び第３の電源ユニット１４、１６の電源供給開始信号待ちとなるものである。即ち、各部が正常に動作している場合である。なお、チューナ回路系を除いた場合でも、第１信号が良好及び第２信号が不良であれば第２の電源ユニット１４の電源供給開始信号待ちとなるものとする。
【００５０】
実施例６は、第１信号が良好、第２信号が不良、且つ第３信号が良好である場合は、チューナ回路系の異常をＥＥＰＲＯＭ１８に記録するとともに異常信号を出力するものである。そして、異常が解決するまでは異常信号を出力し続け、第２や第３の電源ユニット１４、１６の電源供給開始は受け付けない。
【００５１】
実施例７は、第１及び第２信号が良好、且つ第３信号が不良である場合は、メイン回路系の異常をＥＥＰＲＯＭ１８に記録するとともに異常信号を出力するものである。なお、チューナ回路系を除いた場合でも、第１及び第２信号が良好であれば同様の動作を行うものとする。そして、異常が解決するまでは異常信号を出力し続け、第２や第３の電源ユニット１４、１６の電源供給開始は受け付けない。
【００５２】
実施例８は、第１〜第３信号が良好である場合は、メイン回路系及びチューナ回路系の異常をＥＥＰＲＯＭ１８に記録するとともに異常信号を出力するものである。そして、異常が解決するまでは異常信号を出力し続け、第２や第３の電源ユニット１４、１６の電源供給開始は受け付けない。
【００５３】
実施例９〜実施例１３は、第１の電源ユニット１２の電源供給中、且つ第２及び第３の電源ユニット１４、１６の電源供給開始時における動作である。即ち、監視回路１１が駆動しているスタンバイ状態の液晶テレビにおいて、視聴のためリモコンの電源ＯＮキーが押下され、第２及び第３の電源ユニット１４、１６の電源供給が開始され出した瞬間における動作である。
【００５４】
実施例９は、第１信号が不良である場合は、第２信号や第３信号の状態に関わらず第２及び第３の電源ユニット１４、１６の電源供給を停止してスタンバイ状態とするものである。これは、スタンバイ状態から第２及び第３の電源ユニット１４、１６の電源供給を開始したところ、監視回路系に異常が生じた場合である。
【００５５】
実施例１０は、第１信号が良好、且つ第２及び第３信号が不良である場合は、メイン回路系及びチューナ回路系の異常をＥＥＰＲＯＭ１８に記録し、第２及び第３の電源ユニット１４、１６の電源供給を停止し、再度第２及び第３の電源ユニット１４、１６の電源供給を開始して第１〜第３信号を判定する動作を所定回数繰り返し、所定回数連続で異常を検出すると異常信号を出力するものである。そして、異常が解決するまでは異常信号を出力し続け、第２や第３の電源ユニット１４、１６の電源供給開始は受け付けない。
【００５６】
なお、第２及び第３の電源ユニット１４、１６の電源供給を停止し、再度第２及び第３の電源ユニット１４、１６の電源供給を開始までの間隔は２秒間とすることが望ましい。その間に第２及び第３信号が良好になる可能性があるからである。上記所定回数は各部品が故障して発煙・発火を生じることがない回数とすればよく、例えば３回とすることができる。
【００５７】
なお、所定回数連続で異常を検出するまでの間に第１信号が不良となった場合は、電源ブレーカーが動作したと考えられ、実施例９の動作に従ってスタンバイ状態とする。
【００５８】
実施例１１は、第１信号が良好、第２信号が不良、且つ第３信号が良好である場合は、メイン回路系の異常をＥＥＰＲＯＭ１８に記録し、第２及び第３の電源ユニット１４、１６の電源供給を停止し、再度第２及び第３の電源ユニット１４、１６の電源供給を開始して第１〜第３信号を判定する動作を所定回数繰り返し、所定回数連続で異常を検出すると異常信号を出力するものである。なお、チューナ回路系を除いた場合でも、第１信号が良好及び第２信号が不良であれば、メイン回路系の異常をＥＥＰＲＯＭ１８に記録するとともに異常信号を出力し、第２の電源ユニット１４の電源供給を停止するものとする。そして、異常が解決するまでは異常信号を出力し続け、第２や第３の電源ユニット１４、１６の電源供給開始は受け付けない。
【００５９】
実施例１２は、第１及び第２信号が良好、且つ第３信号が不良である場合は、チューナ回路系の異常をＥＥＰＲＯＭ１８に記録し、第２及び第３の電源ユニット１４、１６の電源供給を停止し、再度第２及び第３の電源ユニット１４、１６の電源供給を開始して第１〜第３信号を判定する動作を所定回数繰り返し、所定回数連続で異常を検出すると異常信号を出力するものである。そして、異常が解決するまでは異常信号を出力し続け、第２や第３の電源ユニット１４、１６の電源供給開始は受け付けない。
【００６０】
実施例１３は、第１〜第３信号が良好である場合は、次の動作待ちとなるものである。即ち、各部が正常に動作している場合である。
【００６１】
実施例１４〜実施例２１は、第１の電源ユニット１２の電源供給中、且つ第２及び第３の電源ユニット１４、１６の電源供給中における動作である。即ち、上述の第２及び第３の電源ユニット１４、１６の電源供給開始時が経過した後の状態、つまり液晶テレビの視聴中における動作である。
【００６２】
実施例１４は、第１〜第３信号が不良である場合は、監視回路系の異常をＥＥＰＲＯＭ１８に記録するとともに異常信号を出力し、第２及び第３の電源ユニット１４、１６の電源供給を停止するものである。なお、チューナ回路系を除いた場合でも、第１及び第２信号が不良であれば、メイン回路系の異常をＥＥＰＲＯＭ１８に記録するとともに異常信号を出力し、第２の電源ユニット１４の電源供給を停止するものとする。そして、異常が解決するまでは異常信号を出力し続け、第２や第３の電源ユニット１４、１６の電源供給開始は受け付けない。
【００６３】
実施例１５は、第１及び第２信号が不良、且つ第３信号が良好である場合は、動作状態をＥＥＰＲＯＭ１８に記録し、第２及び第３の電源ユニット１４、１６の電源供給を停止し、所定時間経過後に第１信号が良好となれば、再度第２及び第３の電源ユニット１４、１６の電源供給を開始して先程の動作状態に復元するものである。一方、所定時間経過後も第１信号が不良である場合は、第２及び第３の電源ユニット１４、１６の電源供給を停止してスタンバイ状態とする。
【００６４】
なお、第２及び第３の電源ユニット１４、１６の電源供給を停止した後の再度第１信号を判定するまでの所定時間は、６００ｍｓとすることができ、第１信号が良好となった場合の再度第２及び第３の電源ユニット１４、１６の電源供給を開始するまでの間隔は２秒間とすることが望ましい。その間に第２信号が良好になる可能性があるからである。
【００６５】
実施例１６は、第１信号が不良、第２信号が良好、且つ第３信号が不良である場合は、動作状態をＥＥＰＲＯＭ１８に記録し、消音処理し、第２及び第３の電源ユニット１４、１６の電源供給を停止し、所定時間経過後に第１信号が良好となれば、再度第２及び第３の電源ユニット１４、１６の電源供給を開始して先程の動作状態に復元するものである一方、所定時間経過後も第１信号が不良である場合は、第２及び第３の電源ユニット１４、１６の電源供給を停止してスタンバイ状態とする。
【００６６】
なお、チューナ回路系を除いた場合でも、第１信号が不良、且つ前記第２信号が良好である場合は、監視回路系の異常をＥＥＰＲＯＭ１８に記録するとともに異常信号を出力し消音処理し、第２の電源ユニット１４の電源供給を停止するものとする。この場合は、異常が解決するまでは異常信号を出力し続け、第２や第３の電源ユニット１４、１６の電源供給開始は受け付けない。
【００６７】
ここで、消音処理とはスピーカ（図示せず）への出力を停止する処理であり、消音処理によりスピーカからノイズが放音されることを防止する。
【００６８】
なお、第２及び第３の電源ユニット１４、１６の電源供給を停止した後の再度第１信号を判定するまでの所定時間は、３００ｍｓとすることができ、第１信号が良好となった場合の再度第２及び第３の電源ユニット１４、１６の電源供給を開始するまでの間隔は２秒間とすることが望ましい。その間に第３信号が良好になる可能性があるからである。
【００６９】
実施例１７は、第１信号が不良、且つ第２及び第３信号が良好である場合は、監視回路系の異常をＥＥＰＲＯＭ１８に記録するとともに異常信号を出力し、第２及び第３の電源ユニット１４、１６の電源供給を停止するものである。これにより、スタンバイ状態となる。
【００７０】
実施例１８は、第１信号が良好、且つ第２及び第３信号が不良である場合は、消音処理し、所定時間経過後に第１信号が不良となれば、動作状態をＥＥＰＲＯＭ１８に記録し、第２及び第３の電源ユニット１４、１６の電源供給を停止し、所定時間経過後までに第３信号が良好になれば、消音解除処理し、所定時間経過後も第３信号が不良であれば、チューナ回路系の異常をＥＥＰＲＯＭ１８に記録し、第２及び第３の電源ユニット１４、１６の電源供給を停止し、再度第２及び第３の電源ユニット１４、１６の電源供給を開始して先程の動作状態に復元し、所定時間経過までに一時的に第１信号が不良となれば、動作状態をＥＥＰＲＯＭ１８に記録し、第２及び第３の電源ユニット１４、１６の電源供給を停止し、再度第２及び第３の電源ユニット１４、１６の電源供給を開始して先程の動作状態に復元するものである。
【００７１】
なお、消音処理後に第１信号が不良か否かを判定する所定時間は、６０ｍｓとすることができ、第２及び第３の電源ユニット１４、１６の電源供給を停止した後の再度第３信号を判定するまでの所定時間は、１５０ｍｓとすることができ、第２及び第３の電源ユニット１４、１６の電源供給を停止して再度第２及び第３の電源ユニット１４、１６の電源供給を開始するまでの間隔は２秒間とすることが望ましい。また、動作状態を復元後に一時的に第１信号が不良となるか否かを判定する所定時間は１５０ｍｓとすることができる。
【００７２】
実施例１９は、第１信号が良好、第２信号が不良、且つ第３信号が良好である場合は、第２及び第３の電源ユニット１４、１６の電源供給を停止し、所定時間経過後までに第１信号が不良となれば、動作状態をＥＥＰＲＯＭ１８に記録し、所定時間経過後も第１信号が良好であれば、メイン回路系の異常をＥＥＰＲＯＭ１８に記録し、再度第２及び第３の電源ユニット１４、１６の電源供給を開始して先程の動作状態に復元するものである。
【００７３】
なお、再度第１信号が不良か否かを判定する所定時間は、６０ｍｓとすることができ、動作状態を記録した後の第１信号を判定するまでの所定時間は３００ｍｓとすることができる。
【００７４】
実施例２０は、第１及び第２信号が良好、且つ第３信号が不良である場合は、消音処理し、所定時間経過後に第１信号が不良となれば、動作状態をＥＥＰＲＯＭ１８に記録し、第２及び第３の電源ユニット１４、１６の電源供給を停止し、所定時間経過後までに第３信号が良好になれば、消音解除処理し、所定時間経過後も第３信号が不良であれば、チューナ回路系の異常をＥＥＰＲＯＭ１８に記録し、第２及び第３の電源ユニット１４、１６の電源供給を停止し、再度第２及び第３の電源ユニット１４、１６の電源供給を開始して先程の動作状態に復元し、所定時間経過までに一時的に第１信号が不良となれば、動作状態をＥＥＰＲＯＭ１８に記録し、第２及び第３の電源ユニット１４、１６の電源供給を停止し、再度第２及び第３の電源ユニット１４、１６の電源供給を開始して先程の動作状態に復元するものである。
【００７５】
なお、再度第１信号が不良か否かを判定する所定時間は、６０ｍｓとすることができ、第２及び第３の電源ユニット１４、１６の電源供給を停止した後の再度第３信号を判定するまでの所定時間は、１５０ｍｓとすることができ、第２及び第３の電源ユニット１４、１６の電源供給を停止して再度第２及び第３の電源ユニット１４、１６の電源供給を開始するまでの間隔は２秒間とすることが望ましい。また、動作状態を復元後に一時的に第１信号が不良となるか否かを判定する所定時間は１５０ｍｓとすることができる。
【００７６】
実施例２１は、第１〜第３信号が良好である場合は、次の動作待ちとなるものである。即ち、各部が正常に動作している場合である。
【００７７】
実施例２２〜実施例２７は、第１の電源ユニット１２の電源供給中、且つ第２及び第３の電源ユニット１４、１６の電源供給停止時における動作である。
【００７８】
実施例２２は、第１〜第３信号が不良である場合は、第２及び第３の電源ユニット１４と、１６の電源供給を停止してスタンバイ状態とするものである。なお、チューナ回路系を除いた場合でも、第１及び第２信号が不良であれば、第２の電源ユニット１４の電源供給を停止してスタンバイ状態とするものとする。
【００７９】
実施例２３は、第２信号が不良、且つ第３信号が良好である場合は、第１信号の良不良に関係なく、チューナ回路系の異常をＥＥＰＲＯＭ１８に記録し、ＣＰＵ１９、２１、ＩＯ２３をリセットし、第２及び第３の電源ユニット１４、１６の電源供給を停止してスタンバイ状態とするものである。
【００８０】
実施例２４は、第１信号が不良、第２信号が良好、且つ第３信号が不良である場合は、メイン回路系の異常をＥＥＰＲＯＭ１８に記録し、ＣＰＵ１９、２１、ＩＯ２３をリセットし、第２及び第３の電源ユニット１４、１６の電源供給を停止してスタンバイ状態とするものである。なお、チューナ回路系を除いた場合でも、第１信号が不良、且つ第２信号が良好であれば、メイン回路系の異常をＥＥＰＲＯＭ１８に記録し、ＣＰＵ１９、２１をリセットし、第２の電源ユニット１４の電源供給を停止してスタンバイ状態とするものとする。
【００８１】
実施例２５は、第２及び第３信号が良好である場合は、第１信号の良不良に関係なく、メイン回路系及びチューナ回路系の異常をＥＥＰＲＯＭ１８に記録し、ＣＰＵ１９、２１と、ＩＯ２３をリセットし、第２及び第３の電源ユニット１４、１６の電源供給を停止してスタンバイ状態とするものである。
【００８２】
実施例２６は、第１信号が良好、且つ第２及び第３信号が不良である場合は、第２及び第３の電源ユニット１４、１６の電源供給開始信号待ちとなる。即ち、各部が正常に動作している場合である。なお、チューナ回路系を除いた場合でも、第１信号が良好、且つ第２信号が不良である場合は、第２の電源ユニット１４の電源供給開始信号待ちとなるものとする。
【００８３】
実施例２７は、第１及び第２信号が良好、且つ第３信号が不良である場合は、メイン回路系の異常をＥＥＰＲＯＭ１８に記録し、ＣＰＵ１９、２１、ＩＯ２３をリセットし、第２及び第３の電源ユニット１４、１６の電源供給を停止してスタンバイ状態とするものである。なお、チューナ回路系を除いた場合でも、第１及び第２信号が良好である場合は、メイン回路系の異常をＥＥＰＲＯＭ１８に記録し、ＣＰＵ１９、２１をリセットし、第２の電源ユニット１４の電源供給を停止してスタンバイ状態とするものとする。
【産業上の利用可能性】
【００８４】
本発明の電源装置は、液晶テレビをはじめ、各種受信装置等の電源装置として広く電気機器に使用することができる。
【図面の簡単な説明】
【００８５】
【図１】本発明の電源装置の構成を示すブロック図である。
【符号の説明】
【００８６】
１０  電源装置
１１  監視回路
１２  第１の電源ユニット
１３  メイン回路
１４  第２の電源ユニット
１５  チューナ回路
１６  第３の電源ユニット
１７  第１の電圧検出部
１８  ＥＥＰＲＯＭ（記録部）
１９  ＣＰＵ（第１の制御部）
２０  第２の電圧検出部
２１  ＣＰＵ（第２の制御部）
２２  第３の電圧検出部
２３  ＩＯ（第３の制御部）
【図１】
2005218152.tif 000003